【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
ソーシャルネットワーキングシステムが、クライアントデバイスを通じて、表示のためのニュースフィードを推奨ユーザに提示するステップであって、前記ニュースフィードは前記ソーシャルネットワーキングシステム内のオブジェクトに対して行われたアクションについて記述するストーリを含む、ニュースフィード提示ステップと、
前記ソーシャルネットワーキングシステムが、前記推奨ユーザに関連付けられ、前記ソーシャルネットワーキングシステムによって維持されているユーザプロファイルにアクセスするステップであって、前記ユーザプロファイルは、前記推奨ユーザが前記ストーリにおいて前記アクションまたは前記オブジェクトを推奨する許可を与えられているかを示す、ステップと、
前記推奨ユーザのアクセスされたユーザプロファイルから識別された前記オブジェクトのオブジェクト識別子に基づいて、前記推奨ユーザが前記アクションまたは前記オブジェクトを推奨する許可を与えられていることを判定するステップと、
前記推奨ユーザが前記アクションまたは前記オブジェクトを推奨する許可を与えられていることの判定に応答して、前記ニュースフィード内に前記ストーリとともに表示するための推奨オプションを提示するステップと、
前記クライアントデバイスを通じた前記推奨ユーザによる前記推奨オプションの選択に対応する入力の受信に応答して、前記ストーリ内の前記アクションおよび前記オブジェクトのうちの少なくとも１つを求めるスポンサ・ストーリ要求を定義するための１以上のパラメータを提供するように前記クライアントデバイスを通じて提示されるインタフェースを通じて前記推奨ユーザに促すステップであって、前記１以上のパラメータは、入札額を含む、促すステップと、
前記スポンサ・ストーリ要求を定義するための前記１以上のパラメータを、前記クライアントデバイスを通じて提示される前記インタフェースを通じて前記推奨ユーザから受信する、パラメータ受信ステップと、
前記スポンサ・ストーリ要求を前記ソーシャルネットワーキングシステムによって維持されているデータベース内に記憶するステップであって、前記スポンサ・ストーリ要求は、前記アクションおよび前記オブジェクトのうちの少なくとも１つと相互作用する、前記ソーシャルネットワーキングシステム内のアクションを行うユーザとのつながりを有する閲覧ユーザに、前記アクションおよび前記オブジェクトのうちの少なくとも１つと前記アクションを行うユーザとの間の相互作用を記述するスポンサ・ストーリを提供するための
条件を定義する、記憶ステップと、
前記スポンサ・ストーリ要求に関連付けられている前記入札額に少なくとも部分的に基づいて、前記ソーシャルネットワーキングシステムが、表示のための前記スポンサ・ストーリを前記閲覧ユーザに提供するかを判定するステップと、を含む方法。
【請求項２】
前記１以上のパラメータは、アクセスされた前記推奨オプションに関連付けられている前記ストーリ内の前記アクションおよび前記オブジェクトのうちの少なくとも１つに関連付けられている前記スポンサ・ストーリを提示するための予算を含む、請求項１に記載の方法。
【請求項３】
表示のための前記スポンサ・ストーリを前記閲覧ユーザに送信するステップをさらに含む、請求項１に記載の方法。
【請求項４】
前記促すステップは、
１以上のフィールドを前記推奨ユーザに提示するステップであって、各フィールドは、前記スポンサ・ストーリを前記ソーシャルネットワーキングシステムの他のユーザに提示することを判定するためのデータのタイプに関連付けられている、ステップを含む、請求項１に記載の方法。
【請求項５】
前記推奨ユーザに提示された前記１以上のフィールドは前記ニュースフィードとともに表示される、請求項４に記載の方法。
【請求項６】
フィールドは、前記スポンサ・ストーリを前記ソーシャルネットワーキングシステムの他のユーザに提示するための予算、前記スポンサ・ストーリが提示されるユーザに関連付けられた位置、前記スポンサ・ストーリを前記ソーシャルネットワーキングシステムの他のユーザに提示するための持続期間、および前記スポンサ・ストーリが提示される、前記ソーシャルネットワーキングシステムの他のユーザの１以上の特性のうちの１以上に関連付けられる、請求項４に記載の方法。
【請求項７】
前記ニュースフィードは、複数のストーリを含み、各ストーリは、前記ソーシャルネットワーキングシステムのアクションおよびオブジェクトのうちの少なくとも１つに関連付けられており、推奨オプションは、前記複数のストーリのうちの２つ以上のストーリに関連付けられている、請求項１に記載の方法。
【請求項８】
ソーシャルネットワーキングシステムが、表示のためのオブジェクトプロファイルページをクライアントデバイスを通じて推奨ユーザに提示するステップであって、前記オブジェクトプロファイルページはオブジェクトに関連付けられている複数のストーリを含み、各ストーリは前記オブジェクトまたは前記オブジェクトプロファイルページに対して行われたアクションについて記述する、ステップと、
前記ソーシャルネットワーキングシステムが、前記推奨ユーザに関連付けられているユーザプロファイルにアクセスするステップであって、前記ユーザプロファイルは、前記推奨ユーザが前記オブジェクトプロファイルページの前記オブジェクトを推奨する許可を与えられているかを示す、ステップと、
前記推奨ユーザのアクセスされたユーザプロファイルから識別された前記オブジェクトのオブジェクト識別子に基づいて、前記推奨ユーザが前記オブジェクトプロファイルページの前記オブジェクトを推奨する許可を与えられていることを判定するステップと、
前記推奨ユーザが前記オブジェクトを推奨する許可を与えられていることの判定に応答して、前記オブジェクトプロファイルページにおいて提示された少なくとも１つのストーリの近位に表示するための推奨オプションを提供する、推奨オプション提供ステップと、
ストーリに関連付けられている推奨オプションにアクセスするという前記ソーシャルネ
ットワーキングシステムにおける入力の受信に応答して、前記クライアントデバイスを通じて提示されたインタフェースを通じてアクセスされた前記推奨オプションに関連付けられている前記ストーリ内のアクションに関連付けられているスポンサ・ストーリ要求を定義するための１以上のパラメータを提供するように前記推奨ユーザに促すステップであって、前記パラメータは入札額を含む、促すステップと、
前記スポンサ・ストーリ要求を定義するためのパラメータを前記クライアントデバイスを通じて提示されたインタフェースを通じて前記推奨ユーザから受信するステップと、
前記スポンサ・ストーリ要求を前記ソーシャルネットワーキングシステムによって維持されているデータベース内に記憶するステップであって、前記スポンサ・ストーリ要求は、前記オブジェクトプロファイルページおよび前記オブジェクトのうちの少なくとも１つと相互作用する、前記ソーシャルネットワーキングシステム内のアクションを行うユーザとのつながりを有する閲覧ユーザに、前記オブジェクトプロファイルページおよび前記オブジェクトのうちの少なくとも１つと前記アクションを行うユーザとの間の相互作用を記述するスポンサ・ストーリを提供するための条件を定義する、ステップと、
前記スポンサ・ストーリ要求に関連付けられている前記入札額に少なくとも部分的に基づいて、コンピュータプロセッサが、前記スポンサ・ストーリを前記閲覧ユーザに提供するかを判定するステップと、を含む方法。
【請求項９】
前記１以上のパラメータは、前記スポンサ・ストーリを前記ソーシャルネットワーキングシステムのユーザに提示するための予算を含む、請求項８に記載の方法。
【請求項１０】
前記推奨オプション提供ステップは、
前記ソーシャルネットワーキングシステムが、前記推奨ユーザに関連付けられている前記ユーザプロファイルにアクセスするステップであって、前記ユーザプロファイルは、前記推奨ユーザによって生成された識別ストーリを示す情報を含む、ステップと、
前記推奨ユーザによって生成されたストーリの近位に表示するための前記推奨オプションを提供するステップと、を含む、請求項８に記載の方法。
【請求項１１】
表示するための前記スポンサ・ストーリを前記閲覧ユーザに送信するステップをさらに含む、請求項８に記載の方法。
【請求項１２】
前記促すステップは、
１以上のフィールドを前記推奨ユーザに提示するステップであって、各フィールドは、前記スポンサ・ストーリを前記ソーシャルネットワーキングシステムの他のユーザに提示することを判定するためのデータのタイプに関連付けられている、ステップを含む、請求項８に記載の方法。
【請求項１３】
前記推奨ユーザに提示される前記１以上のフィールドは前記オブジェクトプロファイルページとともに表示される、請求項１２に記載の方法。
【請求項１４】
フィールドは、前記スポンサ・ストーリを前記ソーシャルネットワーキングシステムの他のユーザに提示するための予算、前記スポンサ・ストーリが提示されるユーザに関連付けられた位置、前記スポンサ・ストーリを前記ソーシャルネットワーキングシステムの他のユーザに提示するための持続期間、および前記スポンサ・ストーリが提示される、前記ソーシャルネットワーキングシステムの他のユーザの１以上の特性のうちの１以上に関連付けられる、請求項１２に記載の方法。
【請求項１５】
前記推奨オプション提供ステップは、
前記推奨オプションに関連付けられている少なくとも１つの前記ストーリの近位にテキストデータを表示するステップを含む、請求項８に記載の方法。